(57)【要約】【課題】  スリップ防止溝を容易に形成できるとともに、弾性変形可能な目地プレート用端板を提供すること。【解決手段】  左右の躯体間の目地部にかけ渡すように設けられる床用目地プレートの一端部に取り付けられる目地プレート用端板であって、該目地プレート用端板は、ベース板としての端板本体と、この端板本体の上面に複数の取付手段を介して該端板本体に一体的に取り付けられるカバー部材とから成り、前記カバー部材の上面には多数の筋状のスリップ防止溝が形成されており、さらに、該カバー部材には、前記端板本体の係合端部と対応して係合する被係合部が形成され、前記カバー部材は加工性に優れた金属材料で形成されるとともに、前記端板本体は弾性限の大きい金属材料で形成されていることを特徴とする。【選択図】  図１
2018080474.tif 000002
【特許請求の範囲】
【請求項１】
左右の躯体間の目地部にかけ渡すように設けられる床用目地プレートの一端部に取り付けられる目地プレート用端板であって、該目地プレート用端板は、ベース板としての端板本体と、この端板本体の上面に複数の取付手段を介して該端板本体に一体的に取り付けられるカバー部材とから成り、前記カバー部材の上面には多数の筋状のスリップ防止溝が形成されており、さらに、該カバー部材には、前記端板本体の係合端部と対応して係合する被係合部が形成され、前記カバー部材は加工性に優れた金属材料で形成されるとともに、前記端板本体は弾性限の大きい金属材料で形成されていることを特徴とする目地プレート用端板。
【請求項２】
前記被係合部はアリミゾ状に形成されていることを特徴とする請求項１に記載の目地プレート用端板。
【請求項３】
前記取付手段は着脱可能な取付手段であることを特徴とする請求項１又は請求項２のいずれかに記載の目地プレート用端板。
【請求項４】
前記スリップ防止溝は、カバー部材の上面の前後左右方向に交差状態に形成されていることを特徴とする請求項１乃至請求項３のいずれかに記載の目地プレート用端板。
【請求項５】
前記カバー部材はアルミニウム又はアルミニウム合金のいずれかで形成され、前記端板本体はステンレス鋼で構成されることを特徴とする請求項１乃至請求項４のいずれかに記載の目地プレート用端板。
【発明の詳細な説明】
【技術分野】
【０００１】
本発明は目地部を塞ぐ床用目地プレートに用いられる目地プレート用端板に関する。
【背景技術】
【０００２】
従来、躯体間の目地部を塞ぐ床用目地プレートに用いられる目地プレート用端板としては、「目地プレートスライド支持凹部と、この目地プレートスライド支持凹部を覆うように先端部が支持され、後端部が前記他方の床躯体に先端部が上方へ回動できるように取付具を介して取付けられた床用目地プレートの先端部に前記一方の床躯体上をスライド移動できる先端部が上下方向に回動できるように取付けられたカバープレート」（特許文献１）が知られている。
【０００３】
このような目地プレート用端板（カバープレート）は、上面にシマ鋼板のようなスリップ防止の突起を形成した板を用いる場合があるが、このような突起では重量の軽い車両のタイヤにはあまりスリップ防止の効果が期待できず、種々の車両のスリップを防止することはできなかった。
【０００４】
また、目地プレート用端板の上面に溝等を形成しようとしても、このような目地プレート用端板は、防錆等を考慮してステンレス鋼が用いられるため、加工性が悪いという欠点があった。
【０００５】
アルミニウムを用いれば、防錆性や加工性は良好となるが、アルミニウムは弾性限が極めて小さく、車両等が乗った場合に塑性変形が起きてしまう（スプリングバックが発生しない）という欠点があった。
【先行技術文献】
【特許文献】
【０００６】
【特許文献１】特開２０１３−２５６７９０号公報
【発明の概要】
【発明が解決しようとする課題】
【０００７】
本発明は以上のような従来の欠点に鑑み、スリップ防止溝を容易に形成できるとともに、弾性変形可能な目地プレート用端板を提供することを目的としている。
【０００８】
本発明の前記ならびにそのほかの目的と新規な特徴は次の説明を添付図面と照らし合わせて読むと、より完全に明らかになるであろう。
【０００９】
ただし、図面はもっぱら解説のためのものであって、本発明の技術的範囲を限定するものではない。
【課題を解決するための手段】
【００１０】
上記目的を達成するために、本発明の目地プレート用端板は、左右の躯体間の目地部にかけ渡すように設けられる床用目地プレートの一端部に取り付けられる目地プレート用端板であって、該目地プレート用端板は、ベース板としての端板本体と、この端板本体の上面に複数の取付手段を介して該端板本体に一体的に取り付けられるカバー部材とから成り、前記カバー部材の上面には多数の筋状のスリップ防止溝が形成されており、さらに、該カバー部材には、前記端板本体の係合端部と対応して係合する被係合部が形成され、前記カバー部材は加工性に優れた金属材料で形成されるとともに、前記端板本体は弾性限の大きい金属材料で形成されていることを特徴とする。
【発明の効果】
【００１１】
以上の説明から明らかなように、本発明にあっては次に列挙する効果が得られる。
（１）請求項１に記載の発明においては、カバー部材には加工性及び防錆性に優れた金属材料が用いられているため、容易にスリップ防止溝を形成することができる。
（２）端板本体には弾性限の大きい金属材料が用いられているため、目地プレート用端板が塑性変形してしまうことを防止できる。
（３）カバー部材には被係合部を有する凹所が形成され、端板本体はこの被係合部に係合する係合部を有するとともに、前記凹所に取付手段によって取り付けられるので、端板本体が脱落することなく、確実にカバー部材と端板本体を結合させることができる。
（４）請求項２に記載の発明においても、前記（１）〜（３）と同様な効果が得られると共に、被係合部がアリミゾ状に形成されているので、さらに端板本体が脱落することを防止できる。
（５）請求項３に記載の発明においても、前記（１）〜（４）と同様な効果が得られると共に、カバー部材と端板本体は着脱可能な取付手段（例えばビス等）によって固定されているので、カバー部材のスリップ防止溝が減ってきた場合には、新たなカバー部材と交換することができる。
【００１２】
したがって、メンテナンスを容易に行うことができる。
（６）請求項４及び請求項５に記載の各発明においても、前記（１）〜（５）と同様な効果が得られる。
【図面の簡単な説明】
【００１３】
図１乃至図８は本発明の第１の実施形態を示す説明図である。
図９乃至図１１は本発明の第２の実施形態を示す説明図である。
図１２乃至図１４は本発明の第３の実施形態を示す説明図である。
【図１】第１の実施形態の目地プレート用端板の平面図。
【図２】目地プレート用端板の正面図。
【図３】図１の３−３線断面図。
【図４】カバー部材の斜視説明図。
【図５】端板本体の斜視説明図。
【図６】目地プレートに取り付けた状態の参考図。
【図７】使用状態の説明図。
【図８】地震によって目地部が広くなった状態の説明図。
【図９】第２の実施形態の目地プレート用端板の平面図。
【図１０】目地プレート用端板の正面図。
【図１１】図９の１１−１１線断面図。
【図１２】第３の実施形態の目地プレート用端板の平面図。
【図１３】目地プレート用端板の正面図。
【図１４】図１２の１４−１４線断面図。
【発明を実施するための形態】
【００１４】
以下、図面に示す本発明を実施するための形態により、本発明を詳細に説明する。なお、本明細書では図１を基準として左右方向、前（図面上方）後（図面下方）方向という。また、図６を基準として上（図面上方）下（図面下方）方向という。
【００１５】
また、本発明において躯体とは、車両が通行する道路を主に想定しているが、人が通行する部分の目地プレートに設けることも可能であるため、建物、スラブ、エレベーターシャフト等の目地プレートを設置可能な建造物をも含むものである。
【００１６】
図１乃至図６に示す本発明を実施するための第１の形態において、１は本実施の形態においては、目地部２を介して設けられた左右の躯体３、４間に設置された床用目地プレート５に用いられる目地プレート用端板である。
【００１７】
この目地プレート用端板１は、図１乃至図３に示すように、その上面にスリップ防止溝６が前後左右方向に複数個形成され、その底面には、１つのアリミゾ状の被係合部７を備えた凹所８が形成されたカバー部材９と、該カバー部材９の前記被係合部７に対応して係合する係合部１０を有し、前記凹所８にビス等の着脱可能な取付手段１１によって取り付けられ、その底面が前記カバー部材９の底面と面一となるように形成されたベース板としての端板本体１２とで構成されている。
【００１８】
本実施形態において目地プレート用端部１は前後方向に１０００ｍｍ、左右方向に２００ｍｍの寸法に形成されている。
【００１９】
前記カバー部材９は、アルミニウムやアルミニウム合金等の加工性に優れた金属材料で形成されており、本実施形態においてはアルミニウム製で、図４等に示すように、底面に凹所８を有する板状の部材で、その上面にはスリップ防止溝６が前後左右方向に複数個形成されている。また、このカバー部材９の一端部９ａ側の上面には取付手段１１のビス１１が挿入されるビス通し孔１３が形成されている。
【００２０】
カバー部材９の他端部９ｂ側の側面には、傾斜面１４が形成されている。この傾斜面１４は本実施形態においては、約５０度の角度となっている。
【００２１】
前記スリップ防止溝６は、本実施形態においては幅が約７ｍｍで深さが２ｍｍとなっている。また、スリップ防止溝６同士の間隔、カバー部材の端部からの距離はいずれも約１３ｍｍとなっている。このようなスリップ防止溝６を形成することにより、前後方向及び左右方向のスリップを防止することができる。
【００２２】
底面の凹所８の前記他端部９ｂ側には被係合部７が形成されている。この被係合部７は本実施形態においては、上方から傾斜面と略垂直の壁面が連続するような形状となっている。
【００２３】
前記端板本体１２は、ステンレス鋼、鉄鋼等の弾性限の大きい金属材料で形成されており、本実施形態においてはステンレス鋼製で、図５に示すように、前記凹所８にピッタリと収まるような寸法に構成されており、前記被係合部７に対応する部位には、被係合部７と係合する係合部１０が形成されている。端板本体１２に弾性限の大きい金属材料を使用することにより、車両等が目地プレート用端板１を通過した際に、スプリングバックが発生し、カバー部材９も元の形状に復帰することができ、目地プレート用端板１が塑性変形することを防止できる。
【００２４】
この端板本体１２は着脱可能な取付手段１１としての複数個のビス１１で前記カバー部材９の上面側からビス止めされ、前記カバー部材９に取り付けられる。なお、端板本体１２の前記カバー部材９のビス通し孔１３と対応する位置には、ネジ孔１５が設けられている。
【００２５】
端板本体１２は前記ビス１１によってその一端部が上方に向かって締めつけられて取り付けられるとともに、係合部１０は被係合部７と係合しているため、カバー部材９にしっかりと取り付けられ、車両の通行により荷重がかかっても脱落等することを防止できる。
また、このように取付けることにより、ビス１１を外すことによってカバー部材９と端板本体１２を分離することができる。したがって、カバー部材９のスリップ防止溝６が減り、スリップ防止効果が低下した場合には、新しいカバー部材９を端板本体１２にビス１１で固定することにより、スリップ防止効果を復活させることができる。
なお、本実施形態においては、カバー部材９厚さ（上面から凹所８の上面までの厚さ）は８ｍｍ、端板本体１２の厚さは１０ｍｍとなっている。
【００２６】
この目地プレート用端板１は、図６に示すように床用目地プレート５の一端部にヒンジ部材１６を介して回動可能に設けられる。本実施形態においては、端板本体１２の底面と床用目地プレート５の側面がヒンジ部材１６で接続されている。
【００２７】
この目地プレート用端板１は、カバー部材９の上面にスリップ防止溝６が形成されているので、この床用目地プレート５上面を通行する車両等のスリップを確実に防止できるとともに、端板本体１２を備えることによって、車両等が目地プレート用端板１上を通過した場合にも、目地プレート用端板１の変形を防止できるものである。
【００２８】
また、この目地プレート用端板１は、カバー部材９と端板本体１２を取付手段によって取り付けているので、カバー部材９の上面に形成されたスリップ防止溝６がすり減った場合には、新しいカバー部材９を端板本体１２に固定することにより、容易にメンテナンスすることもできる。
【００２９】
本発明の目地プレート用端板１が取り付けられた床用目地プレート５は、図７に示すように、その一端部が一方の躯体３の目地プレート支持部１７に枢支ピン１８を介して支持され、その他端部が他方の躯体４の目地プレートスライド支持部１９にスライド可能に支持される。
【００３０】
地震によって左右の躯体３、４が揺れ動き、目地部２が広くなった場合には、図８に示すように、床用目地プレート５が他方の躯体４の床面をスライド移動するとともに、前記ヒンジ部材１６を支点に目地プレート用端板１が回動し、他方の躯体４の床面と床用目地プレート５の上面との間に段差が生じることを防止する。
【００３１】
地震によって左右の躯体３、４が揺れ動き、目地部２が狭くなった場合には、図示しないが、床用目地プレート５が他方の躯体４の床面に形成された傾斜面に乗り上がるとともに、前記ヒンジ部材１６を支点に目地プレート用端板１が回動し、他方の躯体４の床面と床用目地プレート５の上面との間に段差が生じることを防止する。
【００３２】
[発明を実施するための異なる形態]
次に、図９乃至図１４に示す本発明を実施するための異なる形態につき説明する。なお、本発明を実施するための異なる形態の説明に当って、前記第１の形態と同一構成部分には同一符号を付して重複する説明を省略する。
【００３３】
図９乃至図１１に示す本発明を実施するための第２の形態において、前記本発明を実施するための第２の形態と主に異なる点は、傾斜面状のアリミゾ状の被係合部７Ａを備え、他端部９ｂ側に溝を有しないスリップ防止溝６Ａを有するカバー部材９Ａと、この被係合部７Ａに係合する係合部１０Ａを備える端板本体１２Ａを用いた目地プレート用端板１Ａにした点で、このような目地プレート用端板１Ａにしても、前記本発明を実施するための第１の形態と同様の作用効果を得ることができる。
【００３４】
図１２乃至図１４に示す本発明を実施するための第３の形態において、前記本発明を実施するための第２の形態と主に異なる点は、クランク型のアリミゾ状の被係合部７Ｂを備え、アヤメ溝状のスリップ防止溝６Ｂを形成したカバー部材９Ｂと、この被係合部７Ｂに係合する係合部１０Ｂを備える端板本体１２Ｂを用いた目地プレート用端板１Ｂにした点で、このような目地プレート用端板１Ｂにしても、前記本発明を実施するための第１の形態と同様の作用効果を得ることができる。
【００３５】
本発明の実施形態においては、カバー部材にアルミニウム、端板本体にステンレス鋼を用いているため、取付手段としてビス止めという方法を用いたが、溶接可能な材料を用いる場合には、溶接等の取付手段（着脱不可）を用いてもよい。
また、本発明の実施形態のように溶接ができない部材同士であっても、リベット等を用いた着脱不可能な取付手段が考えられる。
【産業上の利用可能性】
【００３６】
本発明は目地プレート用端板を製造する産業で利用される。
【符号の説明】
【００３７】
１、１Ａ、１Ｂ：目地プレート用端板、２：目地部、
３：一方の躯体、                    ４：他方の躯体、
５：床用目地プレート、              ６、６Ａ、６Ｂ：スリップ防止溝、
７、７Ａ、７Ｂ：被係合部、          ８：凹所、
９、９Ａ、９Ｂ：カバー部材、        １０、１０Ａ、１０Ｂ：係合部、
１１：取付手段、                    １２、１２Ａ、１２Ｂ：端板本体、
１３：ビス通し孔、                  １４：傾斜面、
１５：ネジ孔、                      １６：ヒンジ部材、
１７：目地プレート支持部、          １８：枢支ピン、
１９：目地プレートスライド支持部。
【図１】
2018080474.tif 000003
【図２】
2018080474.tif 000004
【図３】
2018080474.tif 000005
【図４】
2018080474.tif 000006
【図５】
2018080474.tif 000007
【図６】
2018080474.tif 000008
【図７】
2018080474.tif 000009
【図８】
2018080474.tif 000010
【図９】
2018080474.tif 000011
【図１０】
2018080474.tif 000012
【図１１】
2018080474.tif 000013
【図１２】
2018080474.tif 000014
【図１３】
2018080474.tif 000015
【図１４】
2018080474.tif 000016